(57)【要約】【課題】  遊技球がステージに入った早い段階で遊技者が興ざめするのを防止する。【解決手段】  パチンコ機の遊技盤の略中央に配設された特別図柄変動表示装置２０は、図柄等を変動表示可能な表示部２１と、この下方位置に設けられて入り込んだ遊技球６０を左右方向に振り分ける振り分け台２４，２５，２６を階段状に配置して入賞口５０方向に誘導するステージ２３を備える。各振り分け台には、左右方向に配置された復数の凹部２４ａ，２５ａ，２６ａが設けられ、これらの凹部は、前後方向に隣接する振り分け台の各凹部と左右方向にずれて配置される。これらの凹部によって遊技球６０を入賞口５０に誘導する誘導路３０，３１と、遊技球６０を入賞口５０に誘導しない非誘導路３３，３４，３５，３６を形成する。非誘導路を形成する下流側の凹部２６ａに、落下する遊技球６０を上側に配設された振り分け台２４，２５にはじき飛ばす回転体３７を設ける。【選択図】  図２
2006346068.tif 000002
【特許請求の範囲】
【請求項１】
入り込んだ遊技球を左右方向に振り分ける振り分け台を階段状に配置して前記遊技球を遊技者にとって有利な方向及び不利な方向に誘導するステージを備えた弾球遊技機において、
前記ステージの下側に配置された振り分け台に、落下する遊技球を上側に配設された振り分け台にはじき飛ばす回転体を設けたことを特徴とする弾球遊技機。
【請求項２】
前記ステージに、前記遊技球を入賞口に誘導する誘導路及び前記入賞口に誘導しない非誘導路を設け、該非誘導路に前記回転体を設けたことを特徴とする請求項１に記載の弾球遊技機。
【請求項３】
前記回転体は、一定の周速度又は、一定周期で且つ一定の周速度で回転することを特徴とする請求項１又は２に記載の弾球遊技機。
【発明の詳細な説明】
【技術分野】
【０００１】
本発明は、弾球遊技機に関し、さらに詳細には、入り込んだ遊技球を遊技者にとって有利な方向及び不利な方向に誘導するステージを備えた弾球遊技機に関する。
【背景技術】
【０００２】
従来から、遊技盤の中央に特別図柄変動表示装置を配設し、この特別図柄変動表示装置の下部にステージを設け、このステージの下方に入賞口を配設したパチンコ機が知られている(特許文献1参照)。
【０００３】
このようなパチンコ機のステージは、左右方向に延びる振り分け台を前後方向に階段状に配置して構成され、振り分け台には左右方向に所定間隔を有して配置された復数の凹部が設けられている。これらの凹部は、前後方向に隣接する振り分け台の各凹部と左右方向にずれて配置されて、これらの凹部によって遊技球を入賞口に誘導する復数の誘導路と遊技球を入賞口に誘導しない復数の非誘導路が形成されている。このため、遊技球が特別図柄変動表示装置に入って振り分け台上に落下すると、遊技球は誘導路及び非誘導路のいずれかを通ることになる。
【０００４】
【特許文献１】特開２００２−３６９９１９号公報
【発明の開示】
【発明が解決しようとする課題】
【０００５】
このような従来のパチンコ機では、遊技球が特別図柄変動表示装置に入り込んで振り分け台によって振り分けられた時点で遊技球が移動する流路が特定されて、遊技球が入賞口に入賞するか否かが略決まってしまう。従って、従来のパチンコ機は、遊技球の入賞の有無が早期に判断できてしまい、特に、遊技球が入賞する可能性が無い場合には、遊技者は遊技球がステージに入った早い段階で興ざめてしまう。
【０００６】
本発明は、遊技球がステージに入った早い段階で遊技者を興ざめさせないことが要求されており、このような要求に応える弾球遊技機を提供することを目的とする。
【課題を解決するための手段】
【０００７】
このような課題を解決するため、本発明は、入り込んだ遊技球を左右方向に振り分ける振り分け台を階段状に配置して遊技球を遊技者にとって有利な方向及び不利な方向に誘導するステージを備えた弾球遊技機（例えば、実施形態におけるパチンコ機１）において、ステージの下側に配置された振り分け台に、落下する遊技球を上側に配設された振り分け台にはじき飛ばす回転体を設けたことを特徴とする。
【０００８】
この発明によれば、ステージの下側に配置された振り分け台に、落下する遊技球を上側に配設された振り分け台にはじき飛ばす回転体を設けることにより、遊技球がステージに入って遊技者にとって不利な方向に誘導されると、この遊技球は回転体によってステージの上側に配設された振り分け台にはじき飛ばされる。つまり、ステージにおいて、遊技球は有利な方向に誘導される機会を再び与えられる。このため、遊技者は、遊技球がステージに入った早い段階で興ざめする事態が少なくなり、遊技球が有利な方向に誘導される期待感を長く持つことができる。このため、遊技球がステージに入った早い段階で遊技者を興ざめさせない弾球遊技機を提供することができる。
【０００９】
また本発明は、ステージに、遊技球を入賞口に誘導する誘導路及び入賞口に誘導しない非誘導路を設け、非誘導路に回転体を設けたことを特徴とする。
【００１０】
この発明によれば、ステージに誘導路及び非誘導路を設け、非誘導路に回転体を設けることにより、非誘導路に誘導された遊技球を回転体によってステージの上側に配設された振り分け台に飛ばすことができ、遊技球が非誘導路に誘導された時点で遊技者が興ざめする事態を確実に防止することができる。
【００１１】
また本発明の回転体は、一定の周速度又は、一定周期で且つ一定の周速度で回転することを特徴とする。
【００１２】
この発明によれば、回転体は、一定の周速度又は、一定周期で且つ一定の周速度で回転することにより、遊技者は回転体の動きにあわせて遊技球をステージに送り込ませることができる。このため、遊技球が有利な方向に誘導される期待感をさらに増大することができ、遊技をより楽しむことが可能な弾球遊技機を提供することができる。
【発明の効果】
【００１３】
本発明によれば、ステージの下側に配置された振り分け台に、落下する遊技球を上側に配設された振り分け台にはじき飛ばす回転体を設けることにより、遊技球がステージに入った早い段階で遊技者を興ざめさせない弾球遊技機を提供することができる。
【発明を実施するための最良の形態】
【００１４】
以下、本発明に係わる弾球遊技機の好ましい実施の形態を図１から図３に基づいて説明する。本実施の形態は、弾球遊技機の一例であるパチンコ機を例にして、以下説明する。
【００１５】
パチンコ機１は、図１（正面図）に示すように、前面に遊技盤１０を備え、この遊技盤１０の表面には、円弧状のガイドレール１１で囲まれた略円形の遊技部１３が設けられている。遊技盤１０の表面には、図示しない複数の釘が打設され、遊技部１３内を流れ落ちる遊技球は、これらの釘に当たって移動方向が変えられる。
【００１６】
またパチンコ機１には、遊技部１３の下方位置に配置されて遊技球を貯留する上部貯留皿４０と、この上部貯留皿４０の下方位置に配置されて上部貯留皿４０に貯留しきれなかった遊技球を貯留する下部貯留皿４１と、下部貯留皿４１の右側に配置されて遊技者の操作によって遊技部１３内に遊技球を発射する発射装置４３等が設けられている。
【００１７】
遊技部１３内には、その略中央部に特別図柄変動表示装置２０が配設されている。この特別図柄変動表示装置２０は、複数種類の図柄や数字を連続的に変動表示可能な表示部２１を備える。特別図柄変動表示装置２０は、表示部２１によって所定時間変動表示を行わせた後に停止表示された図柄や数字に応じて遊技者に特別の利益（例えば、大当たり）を与えるように構成されている。
【００１８】
特別図柄変動表示装置２０の下方位置には、表示部２１の図柄等の変動を開始させるための入賞口５０が設けられている。入賞口５０には遊技球の入球を検出するセンサが設けられ、このセンサが遊技球を検出することによって、表示部２１による図柄等の変動が開始される。
【００１９】
特別図柄変動表示装置２０内の表示部２１の下方位置には、特別図柄変動表示装置２０内に入り込んだ遊技球を左右方向に振り分ける振り分け台を階段状に配置して入賞口方向に誘導するステージ２３が設けられている。ステージ２３は、図２（斜視図）に示すように、振り分け台２４，２５，２６を階段状に複数段（図面では３段）に配置してなる。
【００２０】
振り分け台２４，２５，２６の各上面は、左右方向内側に傾斜するとともに、前後方向前側に傾斜する。このため、遊技球がステージ２３内に移動すると、この遊技球は振り分け台２４，２５，２６の内側方向に且つ下方向に移動しようとする。
【００２１】
また振り分け台２４，２５，２６には、左右方向に所定間隔を有して配置された復数の凹部２４ａ，２５ａ，２６ａが設けられ、これらの凹部２４ａ，２５ａ，２６ａは、前後方向に隣接する振り分け台２４，２５，２６の各凹部２４ａ，２５ａ，２６ａと左右方向にずれて配置されている。そして、これらの凹部２４ａ，２５ａ，２６ａによって、遊技球６０を入賞口５０に誘導する実線で示す誘導路３０，３１と、遊技球６０を入賞口５０に誘導しない破線で示す非誘導路３３，３４，３５，３６とが形成されている。
【００２２】
例えば、実線で示す誘導路３０は、上部の振り分け台２４から斜め中央側に落下しながら移動するコースであり、入賞口５０方向に向いた遊技者にとって有利なコースである。一方、破線で示す非誘導路３５は、上部の振り分け台２４から斜め外側に落下しながら移動するコースであり、入賞口５０から離反する方向に向いた遊技者にとって不利なコースである。但し、この非誘導路３５には、遊技者にとって有利に働く後述する回転体３７が設けられている。このように、遊技球６０が振り分け台２４，２５，２６に落下すると、この遊技球６０はこれらの誘導路３０，３１及び非誘導路３３，３４，３５，３６のいずれかを通って下方へ移動することになる。
【００２３】
最下段の振り分け台２６の凹部２６ａのうち非誘導路３４，３５の一部を形成する凹部２６ａ、即ち、左右両側に配設された凹部２６ａ，２６ａには、落下する遊技球６０を上側に配設された振り分け台２４，２５にはじき飛ばす回転体３７が設けられている。この回転体３７は、左右方向に延びる回転中心軸３８と回転中心軸３８に設けられて放射状に延びる２枚の回転羽根３９とを有してなる。２枚の回転羽根３９は、回転中心軸３８を中央として互いに反対方向に延びている。
【００２４】
回転体３７は、図３（ａ）（断面図）に示すように、最下部に配置された振り分け台２６から上方へ突出する回転羽根３９が中間部に配設された振り分け台２５側に接近する方向（矢印Ａ方向）に回転する。また回転体３７は、連続して且つ回転羽根３９の周速が一定の周速度（即ち、落下する遊技球を上方へはじき飛ばすことが可能な周速度）になるように回転する。回転体３７は、止まったり動いたりするようなパターンサイクルで回転したり、一定周期で且つ一定の周速度で回転するようにしてもよい。このように回転体３７を一定の法則で回転させることにより、遊技者は回転体３７の動きにあわせて遊技球６０をステージ２３に送り込ませることができる。このため、遊技球６０が有利な方向に誘導される期待感をさらに増大することができ、遊技をより楽しむことが可能な弾球遊技機１を提供することができる。なお、回転体３７は不規則で回転するようにしてもよい。例えば、回転体３７の回転羽根３９の周速度が時間とともに変化したり、止まったり動いたりするパターンサイクルが変化するようにしてもよい。
【００２５】
なお、回転体３７は、図１に示すパチンコ機１に電力が供給されているときに回転したり、発射装置４３が作動しているときに回転するようにしてもよい。さらに回転体３７の回転羽根３９は２枚に限るものではなく、３枚以上でもよい。
【００２６】
このような回転体３７を回転させると、図３（ｂ）（断面図）に示すように、落下する遊技球６０が回転羽根３９の回転方向前側の面３９ａに当接すると、遊技球６０はステージ２３の上方側へはじき飛ばされる。そして、図３（ｃ）（断面図）に示すように、回転羽根３９の面３９ａに対する遊技球６０の当接状態（例えば、当接方向、当接位置等）に応じて、遊技球６０は中間の振り分け台２５の方向にはじき飛ばされたり、最上部の振り分け台２４の方向にはじき飛ばされる。
【００２７】
その結果、図２に示すように、遊技球６０が破線で示した非誘導路３４，３５に誘導されても、この遊技球６０は回転体３７によって再びステージ２３の上部に移すことができ、遊技球６０が入賞口５０に誘導される機会を再び与えることができる。従って、遊技者は、遊技球６０がステージ２３に入った早い段階で興ざめすることがなくなり、遊技球６０が入賞口５０に入賞する期待感を長く持つことができる。
【００２８】
なお前述した実施例では、弾球遊技機の例としてパチンコ機１を例にしたが、雀球、アレンジボール、スマートボール等にも前述した回転体３７を同様に設けることで、遊技者が早い段階で興ざめすることのない雀球等を提供することができる。
【図面の簡単な説明】
【００２９】
【図１】本発明の一実施の形態に係わるパチンコ機の正面図を示す。
【図２】このパチンコ機に設けられたステージの斜視図を示す。
【図３】ステージに設けられた回転体の動作を説明するための断面図を示す。
【符号の説明】
【００３０】
１  パチンコ機（弾球遊技機）
２３  ステージ
２４，２５，２６  振り分け台
３０，３１  誘導路
３３，３４，３５，３６  非誘導路
３７  回転体
５０  入賞口
６０  遊技球
【図１】
2006346068.tif 000003
【図２】
2006346068.tif 000004
【図３】
2006346068.tif 000005